(57)【特許請求の範囲】
【請求項１】
通気用ダクトを接続するダクト接続口と、
前記ダクト接続口を備えた平板状のフランジと、
前記フランジの外周及び一方の面側を覆い、フード前面と左右のフード側面とを有する一枚板から形成された前面板と、フード天面を有し前記前面板に接合される天板と、フード底面を有し前記前面板に接合される底板と、を含み、前記左右のフード側面に通気用の通気口を備えたフードと、
前記フランジの側部から前記フード側に立ち上げ、その端部を前記フードの内側に斜め前向きに屈曲させたフード固定板と、
前記フード側面において前記通気口の前記フランジ側の端部に形成され、前記フード側面とは異なる方向を向くように、前記フード固定板の斜め前向きに屈曲した面と対面するように斜め前向きに形成した底面を有する締結部材固定用の凹部と、
を備えたことを特徴とする換気フード。
【発明の詳細な説明】
【技術分野】
【０００１】
本発明は、建物の壁面に設置する換気フードに関するものである。
【背景技術】
【０００２】
換気フードは住宅の室外側に設置されるため、風や雨などが室内に浸入しない構造が求められている。このような中で通気用の開口部にフィンを備え耐外風、耐雨性を向上させた換気フードとして特許第３４１４１１６号に記載のようにフード部の左右側面と下面に開口部を設け、左右側面の開口部には壁面と垂直方向に排気流を壁から離れる方向に案内する複数枚のフィンを形成した構造が示されている。また、特開２００５−０４３００４号のようなフード前面側に風雨防止板を設け、その裏側壁方向に設けた角形の筒体を設け、その上下左右４面の外周面に複数のフィンを形成した通気口を形成した構造が提案されている。
【先行技術文献】
【特許文献】
【０００３】
【特許文献１】特許第３４１４１１６号公報
【特許文献２】特開２００５−０４３００４号公報
【発明の概要】
【発明が解決しようとする課題】
【０００４】
特許文献１、２に示されるような従来の構造においては、フード上面に降った雨水がフード表面に流れ、フード表面に生じる筋状の汚れや、壁伝いに流れる雨水による壁汚れが生じやすいものであった。また、風向き、風速など設置される環境条件によっては、複数枚のフィンの間にある隙間より、フード内部や通気用のダクト内部に雨水が浸入するなどの課題があった。また、施工時のフランジ部とフード部の固定において、フード左右側面のネジ固定部は、壁面に近い位置にあるうえに、ネジをフード側面に対し垂直に締める構造であるため、ネジ穴の位置が目視しにくく、また、壁などが邪魔となりネジが締めにくいという課題があった。また、フードの固定は左右に備えたネジだけであることから、ネジが腐食してフード部が落下しないようネジの耐食性を向上させる必要があった。また、特許文献２の構成では、フードの上部に取り付け金具を備え、この取り付け金具の先端を筐体に挿入しフードの落下防止をしているが、この取り付け金具はフードより外部に露出しており、取り付け金具自体を腐食しないよう耐食性を向上させる必要があった。さらには、フード上面の形状によっては、鳥などが飛来し巣を作ることや、この巣のため、フィンとフィンの間の隙間を塞ぎ換気不足になることや、あるいは、糞などにより壁、フードを汚すといった課題があった。
【０００５】
本発明は、上記に鑑みてなされたものであって、その目的は、フードの固定構造を改善し施工性がよく、また、雨水が浸入しにくく外観が汚れにくい換気フードを得ることである。
【課題を解決するための手段】
【０００６】
上述した課題を解決し、目的を達成するために、本発明は、通気用ダクトを接続するダクト接続口と、前記ダクト接続口を備えた平板状のフランジと、前記フランジの外周及び一方の面側を覆う通気用の通気口を備えたフードと、前記フランジの側部から前記フード側に立ち上げ、その端部を前記フードの内側に斜め前向きに屈曲させたフード固定板と、前記フードの側面に形成され、前記フード固定板の斜め前向きに屈曲した面と対面するように斜め前向きに形成した底面を有する締結部材固定用の凹部とを備えたことを特徴とする。
【発明の効果】
【０００７】
この換気フードによれば、施工性に優れた換気フードが得られる。
【図面の簡単な説明】
【０００８】
【図１】図１は、本発明の実施の形態１に係る換気フードの分解斜視図である。
【図２】図２は、フード部部品構成を示す分解斜視図である。
【図３】図３は、フード部の天板接合部を示す斜視図である。
【図４】図４は、フード内側を示す斜視図である。
【図５】図５は、フランジにフードを固定する状態を示す斜視図である。
【図６】図６は、フランジとフードの係合部を示す部分斜視図である。
【図７】図７は、フランジとフードをネジで固定した断面図である。
【図８】図８は、換気フードの断面図と水の流れを示す図である。
【図９】図９は、フード引っ掛け部とフード固定板、逆取り付け防止板、風雨防止板を一体で形成した部品を示す斜視図である。
【図１０】図１０は、フードの天面に鳥の巣対策となる傾斜板を取り付けた側面図である。
【発明を実施するための形態】
【０００９】
以下に、本発明にかかる換気フードの実施の形態を図面に基づいて詳細に説明する。なお、この実施の形態によりこの発明が限定されるものではない。
【００１０】
実施の形態１.
まず、本発明に係る換気フードの構成について説明する。図１は本発明の実施の形態１に係る換気フードを斜め上方より見た分解斜視図である。
【００１１】
図１において、換気フード５０は、建物の屋外と屋内とを隔てる壁に形成された穴（図示しない）の室外側の開口部に取り付けられ、屋内から屋外へと室内空気を排気したり、屋外から屋内へと外気を取り入れ給気を行うダクトの端末に設けられる部材である。換気フード５０は、換気のための開口を覆うフード１と、換気フード５０を建物外壁に取り付けるための平板状で形成した四角形のフランジ２と、換気設備とつながる換気用ダクトを接続し、フード１へ連通させるダクト接続口３から構成される。フランジ２は外周を壁面側に３〜５ミリ程度屈曲させた縁部２ａを形成し、また、フランジ２の中央部には、フランジ２の面２ｂを貫通する形でダクト接続口３が配設されている。ダクト接続口３は、フード１内に納まる側のフランジ２の面２ｂに端部３ａが突出して取り付けられており、フランジ２の裏側の壁面側端部３ｂは換気設備とつながる換気ダクトと接続可能となっている。ダクト接続口３の端部３ａはダクト接続口の外周につば状に突出して形成されている。これは、フード１内部に浸入した外風や雨水がフランジ２の面２ｂに反射してダクト接続口３の筒状部内に浸入することを防止している。フランジ２と外壁との固定は左右側面付近に設けられた取り付け穴（図示しない）により固定ネジで建物外壁に固定される。換気用ダクトは主に鋼板や樹脂で形成したパイプが用いられ、円筒形のダクト接続口３をパイプ内に挿入して接続する。また、フランジ２の外周の縁部２ａと壁との隙間は、雨水が浸入し換気用ダクトと壁に設けた穴との隙間より壁内に雨水が浸入しないよう、縁部２ａの内周にシール材を貼ることや、外周に沿って壁面との間にコーキングをすることで確実に密閉される。
【００１２】
次にフード１の構成について説明する。図２はフード１の構成を示す斜視図、図３は、フード１の天板１９を接合した組立て状態を示す斜視図である。
【００１３】
図２に示すように、フード１は概略箱形をなしておりフード前面１ｃと、左右のフード側面１ａ、１ｂは前面板１８の一枚板で一体に形成している（以下説明において、上下、左右は本換気フードの建物設置状態での屋外側から見た位置を意味する）。また、フード側面１ａ、１ｂには通気口７が設けられ、その開口部にフィン８が切起こしで一体に形成されている。また、フード上面１ｄを構成する天板１９および、フード底面１ｆを構成する底板２０は各々別部品で形成している。図２、図３に示すように、前面板１８のフード側面１ａ、１ｂは、上部と下部に天板１９、底板２０を接合する接合片２５を備え、この接合片２５と天板１９、底板２０はスポット溶接などにより接合部２１にて一体化している。天板１９は換気フード５０の上方からの外風や雨水の浸入を防止し、底板２０は、換気フード５０の下方からの外風、雨水の浸入を防止する。
【００１４】
このように換気フード１の前面板１８と、天板１９、底板２０とを別部材化し、前面板１８の上下にて接合したことから、フード前面１ｃ、フード側面１ａ、１ｂに接合箇所がなく面一にでき、後述するフード１内に浸入した雨水が途中で留まることがなく良好に排出できる。また、フード１の意匠として重要なフード前面１ｃおよびフード側面１ａ、１ｂ部分に接合部２１が現れず意匠性がよい。
【００１５】
図４はフード１の内側を見た斜視図である。図１〜４に示すように、通気口７の複数枚のフィン８は気流を壁から離れる方向に案内するよう、フード上面１ｄから見て、フィン８の先端がフランジ２の方向にフード内側へ切起こして傾斜させている（図７参照）。前面板１８はフード前面１ｃが膨れるようにＲ形状で形成し、フード側面１ａ、１ｂへと繋がっている。また、底板２０のフード前面１ｃ側の端部は、通気用の通気口１１が設けられる。この通気口１１は、前面板１８のＲ部と底板２０との隙間で形成される半月状の形状である。また、この通気口１１は、フード側面１ａ、１ｂに設けた通気口７からの換気風量を補うとともに、後述する天板１９やフード１内部の水抜きとして機能する。
【００１６】
次に、フランジ２とフード１の固定について図１〜図７を用い説明する。図５は、施工時にフード１をフランジ２に引っ掛ける状態を示した斜視図であり、図６はフード１側に設けた舌状部１３と、フランジ２側に設けた引っ掛け部４の関係を示す斜視図である。また図７はフード１とフランジ２側に設けたフード固定板５とをネジ２２で係合した場合を示す断面図である。なお、フード１はフランジ２に着脱自在に固定し、通気口７の清掃など定期的にメンテナンスが行える構造となっている。
【００１７】
図１において、フランジ２の建物設置状態で上側となる部分には、フード１を一時的に支持するための引っ掛け部４と引っ掛け穴４ａが設けられている。引っ掛け部４はフランジ２の面２ｂに左右一対で備え、面２ｂから垂直にフード１側に突出している。一方、図４に示すようにフード１の内側には、フード上面１ｄ側の左右に、フランジ２に備えた引っ掛け部４に相当した位置に舌状部１３を備えている。この舌状部１３はフード側面１ａ、１ｂの上部に設けた接合片２５のフランジ２側の端部にフード底面１ｆ側に向けて舌状に形成される。なお、引っ掛け部４の引っ掛け穴４ａは舌状部１３よりも数ミリ大きい角穴で形成し舌状部１３を挿入しやすい形状としている。
【００１８】
フード１をフランジ２に固定する場合は、図５、図６に示すようにフード１の内側に設けた舌状部１３をフランジ２の引っ掛け穴４ａに引っ掛けるため、フード１を斜め上方よりフランジ２に接近させ、舌状部１３を引っ掛け穴４ａに挿入する。フード１下端を下ろし、フランジ２側に接触させることで、一時的にフランジ２がフード１を保持する。この構造は後述するネジ２２で固定を行うまでの仮固定が図られることと、ネジ２２による固定が万一不全となった場合に、フード１が落下するのを防止する効果も奏する。
【００１９】
図１に示すように、フランジ２の面２ｂの左右には、フード１を固定するためのフード固定板５が面２ｂより垂直にフード１側に立設し、その先端部はフード固定穴５ａを有しフランジ２の内側方向に屈曲している。このフード固定板５にフード１を固定するために、フード１の通気口７のフランジ２側の端部にはフード固定板５の先端部に合うように底面を有する凹部形状のネジ取り付け面１０を設けている。このネジ取り付け面１０は、フード固定板５の先端屈曲角度と同じく傾斜させており、また、その中央に締結部材通し穴となるネジ穴１０ａを設けている。図７に示されるように、フランジ２がフード１を正常に保持した状態で、フード１のネジ穴１０ａとフランジ２のフード固定穴５ａは中心が一致し、ネジ２２で左右二ヶ所固定される。フード１のネジ取り付け面１０は傾斜によりフード手前側に向いており、フード１をネジ２２で固定する際に、ネジ穴１０ａが認識しやすく作業性がよい。また、従来の側方からネジ締め作業となっていたのに対し、斜め前方側から作業が可能となるため、ドライバーをネジに垂直に当てて締め上げることが容易となり、またフード左右側面の近くに壁面の張り出しなどがあっても、ネジ締めが容易にできる。
【００２０】
フランジ２の下部には左右一対の引っ掛け部４と対向する位置にそれぞれ逆取り付け防止板６を設けている。この逆取り付け防止板６は、フランジ２の面２ｂからフード１側の方向に垂直に突出している。また、フード上面１ｄから引っ掛け部４までの距離とフード底面１ｆから逆取り付け防止板６までの距離はほぼ等しくなるよう配置されている。この逆取り付け防止板６は、フード１を天地逆でフランジ２に取り付けようとすると、上述したフード内側の舌状部１３と逆取り付け防止板６とが干渉し、フード１がフランジ２に一時的に保持されないことと、フード１のネジ穴１０ａとフランジ２のフード固定穴５ａの位置がずれ、フード１の逆取り付けが防止されるものである。
【００２１】
次に外風や、雨水がフード内部のダクト接続口３の筒状部内に浸入しない構造について説明する。図１、図５において、フランジ２の中央に突出した筒状のダクト接続口３の左右と、フード１の通気口７との間には、通気口７の開口面と平行に風雨防止板９を設けている。風雨防止板９は、フランジ２の面２ｂから垂直にフード１側に突出させている。また、風雨防止板９のフード１側の長四角部９ａは、フード１側からフランジ２側の幅が概略２０〜３０ｍｍ程度で、フード上面１ｄ側からフード底面１ｆ側までの縦の長さはダクト接続口３の内径とほぼ同じ長さとなるように形成している。
【００２２】
図８は換気フード５０の建物設置状態を示す断面図である。図８に示すように、風雨防止板９の長四角部９ａは、通気口７の開口面のほぼ中央に位置している。これは、換気フード５０の建物設置状態で、フード１の外部から通気口７のフィン８の隙間よりフード１の内部を斜め上方側、斜め下方側、あるいは斜め前面側など様々な方向から見ても、ダクト接続口３の筒状部が直接見えないように配置されている。この風雨防止板９により、フィン８の隙間から吹き込む外風が直接ダクト接続口３へ至ることがないよう遮蔽板として機能し、外風の影響を軽減している。また降雨時においては、フィン８の隙間から吹き込む雨水が一旦は風雨防止板に当たることによりダクト接続口３の筒状部内への雨水の浸入を遮蔽する。
【００２３】
以上のように説明した引っ掛け部４、フード固定板５、逆取り付け防止板６、風雨防止板９は、図９に示されるように、一体で構成して取り付け板１２として集約している。取り付け板１２はフランジ２の面２ｂに溶接やネジ止めにより固定される。このように構成することで、各部品を個々に作成して管理する手間や、フランジ２に各部品を固定する手間が省けるとともに、各部品間の位置ずれが防止できることから、組立て性が良く、また信頼性の向上が図られるものである。
【００２４】
次にフード１の天板１９や、底板２０に溜まった雨水の水抜きをする構造について説明する。図８の断面図に示されるように、天板１９には壁面側からフード前面１ｃ側に下がる傾斜部１７を設け、その先の先端部１５は、フード１の前面板１８の上端よりも低くなるよう屈曲させ、さらに先端部１５のほぼ中央に切り欠きで形成した水抜き開口１４を設けている（図２参照）。また、底板２０はフード前面１ｃ側となる先端部１６が直角上向きに曲げられており、またフード前面１ｃ側からフランジ２側の方向へ下がる傾斜部１７ａが設けられ、この傾斜部１７ａによりフランジ２側の端部に排水用の開口１ｇが形成されている。先端部１６は、フード前面１ｃ側の斜め下方から吹き込む外風や雨水がダクト接続口３の筒状部内に浸入するのを防ぐ遮蔽壁の目的で設けている。また、このため底面２０に溜まった水の水抜きについては、フランジ２側の端部１ｇにて排出する構造としている。
【００２５】
フード上面１ｄに降った雨水の水滴２３は天板１９の傾斜部１７によりフード前面１ｃの方向に流れ、先端部１５に集められる。集められた水は前面板１８で堰き止められ、水抜き開口１４よりフード内側に落下し（水滴２３ａ）、矢印のように前面板１８の内側に沿って流れ、底板２０と前面板１８との間に設けた通気口１１よりフード外に排出する。また、底板２０の内側に入った水滴２３ｂは底板２０に設けられた傾斜部１７ａにより先端部１６側からフランジ２側に流れ、開口１ｇよりフランジ２の下側に設けられた水切り板２４を介して壁から離れて（壁面を伝わらず）下方に落下する（水滴２３ｃ）。
【００２６】
以上のような構成により、フード上面１ｄに降った雨水の水滴２３ａが前面板１８の内側を流れ、表面を流れることがないので、雨だれによる前面板１８が汚れるのを防止できる。また、前述したように、換気フード１の前面板１８と、天板１９、底板２０とを別部材化し、前面板１８の上下にて接合したことから、フード前面１ｃ、フード側面１ａ、１ｂに接合箇所がなく面一にでき、フード１内に浸入した雨水が途中で留まることがなく良好に排出できる。また、水滴２３ａを換気フード５０が設置された壁から離れた位置で落下させることで、水滴２３が壁面を伝い壁を汚すのを防止できる。さらに、フード１の内部に吹き込んだ水滴２３ｂも効果的にフランジ２側に流し、水切り板２４により壁に伝わらないように落下させ（水滴２３ｃ）、壁汚れを防止できる。
【００２７】
実施の形態２．
次に、換気フード５０の上部に、鳥などの小動物が巣を作らない構成を説明する。図１０は換気フード５０の上部に鳥の巣対策を施した側面図である。なお、実施の形態１と同一の構成には、同一の符号を付しており、説明を省略する。
【００２８】
換気フード５０のフード上面１ｄとなる部分には、フード上面１ｄの幅とほぼ同じ幅で、フランジ２側からフード前面１ｃ側に下り傾斜させた傾斜板２６を取り付けられるようになっている。傾斜板２６の両側面には下方に延伸させた位置決め板２８を備え、この位置決め板には位置決め穴２８ａを設ける。フード側面１ａ、１ｂ上部にはこの位置決め穴２８ａに対応する位置に設けたネジ穴（図示しない）を設け、位置決め板２８をフード側面１ａ，１ｂをネジで固定する。なお、図１０に示すように位置決め穴２８ａを長穴状に形成することにより、傾斜板２６はフード１の天板１９上にて前後に若干スライドすることを可能とし、壁からの位置、あるいは住宅の庇からの出っ張りなど調整可能としている。傾斜板２６はネジでフード側面１ａ、１ｂに仮固定した後、図１０の矢印に示すように傾斜板２６を壁側にスライドさせて壁と密着させネジを本締めし固定する。傾斜部２７の水平面からの角度は概ね３０°としているが、鳥が飛来してフード上面１ｄにとまることを防止するものであり、外観意匠を損ねない程度で設定されている。これにより傾斜板２６を設けた換気フード５０は、フード上面１ｄに鳥が飛来してとまり難くなり、換気フード５０に鳥がとまって前面板１８や壁などが鳥の糞により汚れることを防止できる。
【産業上の利用可能性】
【００２９】
以上のように、本発明にかかる換気フードによれば、雨水がフード内部の通気用ダクト
に浸入しにくく、また、フード前面及び壁面が汚れにくく、施工性にも優れた換気フード
が得られる。
【符号の説明】
【００３０】
１  フード、１ａ，１ｂ  フード側面、１ｃ  フード前面、１ｄ  フード上面、１ｆ  フード底面、１ｇ  開口、２  フランジ、２ａ  縁部、２ｂ  面、３  ダクト接続口、３ａ，３ｂ  端部、４  引っ掛け部、４ａ  引っ掛け穴、５  フード固定板、５ａ  フード固定穴、６  逆取り付け防止板、７  通気口、８  フィン、９  風雨防止板、９ａ  長四角部、１０  ネジ取り付け面（凹部）、１０ａ  ネジ穴（締結部材通し穴）、１１  通気口、１２  取り付け板、１３  舌状部、１４  水抜き開口、１５  先端部、１６  先端部、１７  傾斜部、１７ａ  傾斜部、１８  前面板、１９  天板、２０  底板、２１  接合部、２２  ネジ、２３，２３ａ，２３ｂ，２３ｃ  水滴、２４  水切り板、２５  接合片、２６  傾斜板、２７  傾斜部、２８  位置決め板、２８ａ  位置決め穴、５０  換気フード。
【図１】
0005654079.tif 000002
【図２】
0005654079.tif 000003
【図３】
0005654079.tif 000004
【図４】
0005654079.tif 000005
【図５】
0005654079.tif 000006
【図６】
0005654079.tif 000007
【図７】
0005654079.tif 000008
【図８】
0005654079.tif 000009
【図９】
0005654079.tif 000010
【図１０】
0005654079.tif 000011